(57)【特許請求の範囲】
【請求項１】
複数の子機を収容するナースコール制御機と、複数の内線端末を収容する構内交換機とを有し、前記子機と前記内線端末とが通話路を形成して通話を行うことが可能なナースコールシステムにおいて、
前記ナースコール制御機と前記構内交換機との間に、
前記ナースコール制御機との間では複数のＩＳＤＮ基本インタフェースで接続され、
前記構内交換機との間ではＩＳＤＮ一次群速度インタフェースで接続される
インタフェースユニットを設け、
前記インタフェースユニットは、
前記複数のＩＳＤＮ基本インタフェースの全データチャネルを前記ＩＳＤＮ一次群速度インタフェースの一つの制御チャネルで制御し、
前記ナースコール制御機側の複数のＩＳＤＮ基本インタフェースのデータチャネルを前記構内交換機側の前記ＩＳＤＮ一次群速度インタフェースのデータチャネルに先頭から順番に割り当てる、
ことを特徴とするナースコールシステム。
【請求項２】
請求項１記載のナースコールシステムにおいて、
前記インタフェースユニットは、前記構内交換機に収納される、
ことを特徴とするナースコールシステム。
【請求項３】
複数の子機を収容するナースコール制御機と、複数の内線端末を収容する構内交換機とを有し、前記子機と前記内線端末とが通話路を形成して通話を行うことが可能なナースコールシステムに用いられ、
前記ナースコール制御機と前記構内交換機との間に設けられ、
前記ナースコール制御機との間では複数のＩＳＤＮ基本インタフェースで接続され、
前記構内交換機との間ではＩＳＤＮ一次群速度インタフェースで接続され、
前記複数のＩＳＤＮ基本インタフェースの全データチャネルを前記ＩＳＤＮ一次群速度インタフェースの一つの制御チャネルで制御し、
前記ナースコール制御機側の複数のＩＳＤＮ基本インタフェースのデータチャネルを前記構内交換機側のＩＳＤＮ一次群速度インタフェースのデータチャネルに先頭から順番に割り当てる、
ことを特徴とするインタフェースユニット。
【請求項４】
複数の子機を収容するナースコール制御機と、複数の内線端末を収容する構内交換機とを有し、前記子機と前記内線端末とが通話路を形成して通話を行うことが可能なナースコールシステムのナースコール接続方法において、
前記ナースコール制御機と前記構内交換機との間にインタフェース変換を行うインタフェースユニットを設け、
前記インタフェースユニットが、
前記ナースコール制御機との間では複数のＩＳＤＮ基本インタフェースで接続し、
前記構内交換機との間ではＩＳＤＮ一次群速度インタフェースで接続し、
前記複数のＩＳＤＮ基本インタフェースの全データチャネルを前記ＩＳＤＮ一次群速度インタフェースの一つの制御チャネルで制御し、
前記ナースコール制御機側の複数のＩＳＤＮ基本インタフェースのデータチャネルを前記構内交換機側のＩＳＤＮ一次群速度インタフェースのデータチャネルに先頭から順番に割り当てる、
ことを特徴とするナースコール接続方法。
【発明の詳細な説明】
【背景技術】
【０００１】
本発明は、ナースコールシステムおよびインタフェースユニット、ならびにナースコール接続方法に関する。
【０００２】
病院や介護施設等においては、患者と看護師（介護施設等においては被介護者と介護士）とが通話することができるナースコールシステムが設置されている。このようなナースコールシステムは、ナースコール装置と構内交換機（ＰＢＸ：Private Branch Exchange  またはボタン電話主装置）とが連動するシステムとなっており、各病室の患者（あるいはベッドごと）に割り当てられたナースコール子機をナースコール親機が収容し、また、各看護師は構内交換機の内線端末となる携帯端末（以下ＰＨＳ端末という）を携帯しており、この携帯端末は、構内交換機に無線回線を介して収容されている構成となっている。
【０００３】
患者が看護師を呼び出すときは、ナースコール子機からＰＨＳ端末の内線番号をナースコールし、ナースコール親機からＰＨＳ端末を構内交換機を介して呼び出して通話を行うことができる。また、逆に、看護師から患者のナースコール子機に対して呼び出しを行って通話を行うこともできる。さらに、チーム看護の観点から、患者を担当する一つの階の看護師を呼び出すように、一つのチームに属する複数の看護師のＰＨＳ端末を呼び出すことができるシステムとなっている。
【０００４】
このようなナースコールシステムの例を図６に示す。このナースコールシステムは、複数のナースコール子機１０（子機１、子機２、子機３、子機４・・・）を収容するナースコール制御機２０と、複数のＰＨＳ端末５０（ＰＨＳ５１−１、ＰＨＳ５１−２、ＰＨＳ５１−３、ＰＨＳ５１−４・・・）を無線回線を介して収容する構内交換機（ＰＢＸ）４０とを備え、ナースコール制御機２０と構内交換機４０との間に介在し、両者の間でインタフェースの変換を行うナースコールアダプタ３２を備える。ここで、ナースコール制御機２０は、複数のナースコール子機１０を収容しているナースコール親機の通信制御に係わる一部の機能を表したもので、ナースコール親機の一部を構成する。
【０００５】
この構成によるナースコール制御機２０からナースコールアダプタ３２を介する構内交換機４０への接続を説明する。図７に示すようにナースコールアダプタ３２は、ナースコール制御機２０を構内交換機４０に収納されているアナログ回線ユニット４３に接続することで、接続を実現している。このナースコールアダプタ３２は、ナースコール制御機２０が有する２回線４通話路（チャネル）をアナログ回線ユニット４３が具備する８回線８通話路に中継する。すなわち、ナースコール制御機２０のＩＤＳＮ基本インタフェースの（２Ｂ＋Ｄ）×２の４つのチャネルのデータチャネル（Ｂチャネル）をアナログ回線に変換して構内交換機４０のアナログ回線ユニット４３に接続する。
これにより、図７に示すように、ナースコール制御機２０のチャネル１が、ナースコールアダプタ３２で、アナログ回線に変換されて、構内交換機４０のアナログ回線ユニット４３のチャネル１に収容され、それが、構内交換機４０のチャネル１に接続される。したがって、構内交換機４０の内線電話に相当するＰＨＳ５０とナースコール子機１０とがチャネル１で接続することができる。
【先行技術文献】
【非特許文献】
【０００６】
【非特許文献１】ナースコール及び集合住宅インターホンとＰＢＸとの接続に関するガイドライン  ２００２．０９．２５
【発明の概要】
【発明が解決しようとする課題】
【０００７】
しかしながら、ナースコールアダプタは、ナースコールシステム専用の装置として構成されており、高価であり、導入が困難であった。このため、ナースコールアダプタに代わる装置が望まれていた。また、ナースコール制御機と構内交換機の中央制御装置（ＣＰＵ）に変更を加えることなく、ソフトウェアにも大幅変更を加えることなく、ナースコール制御機と構内交換機との接続を可能とする技術が求められている。
【０００８】
本発明は、ナースコールアダプタを用いずに、また、従来のナースコール制御機を変更することなく、構内交換機の制御回路およびソフトウェアの変更をすることなくナースコール制御機との接続を可能とするナースコールシステムおよび構内交換機を提供することを目的とする。
【課題を解決するための手段】
【０００９】
上記課題を解決するために、本発明の第一の側面は、ナースコールシステムであって、複数の子機を収容するナースコール制御機と、複数の内線端末を収容する構内交換機とを有し、子機と内線端末とが通話路を形成して通話を行うことが可能なナースコールシステムにおいて、ナースコール制御機と構内交換機との間に、ナースコール制御機との間では複数のＩＳＤＮ基本インタフェースで接続され、構内交換機との間ではＩＳＤＮ一次群速度インタフェースで接続されるインタフェースユニットを設ける、ことを特徴とする。
【００１０】
本発明の他の側面は、インタフェースユニットであって、複数の子機を収容するナースコール制御機と、複数の内線端末を収容する構内交換機とを有し、子機と内線端末とが通話路を形成して通話を行うことが可能なナースコールシステムに用いられ、ナースコール制御機と前記構内交換機との間に設けられ、ナースコール制御機との間では複数のＩＳＤＮ基本インタフェースで接続され、構内交換機との間ではＩＳＤＮ一次群速度インタフェースで接続される、ことを特徴とする。
【００１１】
本発明の他の側面は、ナースコール接続方法であって、複数の子機を収容するナースコール制御機と、複数の内線端末を収容する構内交換機とを有し、子機と内線端末とが通話路を形成して通話を行うことが可能なナースコールシステムのナースコール接続方法において、ナースコール制御機と構内交換機との間にインタフェース変換を行うインタフェースユニットを設け、インタフェースユニットが、ナースコール制御機との間では複数のＩＳＤＮ基本インタフェースで接続し、構内交換機との間ではＩＳＤＮ一次群速度インタフェースで接続する、ことを特徴とする。
【発明の効果】
【００１２】
本発明によれば、ナースコール制御機と構内交換機とは、ＩＳＤＮ基本インタフェースとＩＳＤＮ一次群速度インタフェースにより接続されるため、ハードウェアおよびソフトウェアを変更することなく接続することが可能となる。
【図面の簡単な説明】
【００１３】
【図１】本発明の一実施形態の構成を示す図。
【図２】本発明実施形態のナースコール専用ユニットを用いたナースコール接続を説明する図。
【図３】本発明実施形態のナースコール専用ユニットのチャネル割り当てを説明する図。
【図４】本発明実施形態の接続を説明する図。
【図５】本発明実施形態の全チャネルが使用した接続を説明する図。
【図６】従来のナースコールアダプタを用いるナースコールシステムを示す図。
【図７】従来のナースコールアダプタを用いる接続を説明する図。
【発明を実施するための形態】
【００１４】
以下、図面を参照して本発明の実施の形態を説明する。
【００１５】
図１は、本実施の形態に係るナースコールシステムの全体の構成を示す図である。本実施形態のナースコールシステムは、複数のナースコール子機１０（子機１、子機２、子機３、子機４・・・）を収容するナースコール制御機２０と、構内交換機（ＰＢＸ）４０と、構内交換機４０の内線端末であり、構内交換機４０に収容され、看護師（あるいは介護士等）が携帯する複数のＰＨＳ端末５０（ＰＨＳ５１−１、ＰＨＳ５１−２、ＰＨＳ５１−３、ＰＨＳ５１−４・・・）とを有し、ナースコール制御機２０と構内交換機４０との間に、インタフェースを変換する手段としてナースコール専用ユニット３１を備える。
【００１６】
ナースコール子機１０は、患者ごと（あるいはベッドごと）に設置されており、各種ボタンや通話機能を有するもので、ボタン等を操作して、看護センターや看護師を呼び出すことができる。ナースコール制御機２０は、上述のようにナースコール子機を収容しているナースコール親機のうち通信等の制御に係わる部分を表したもので、ナースコールの呼制御、通信制御等の制御機能を有する。
【００１７】
構内交換機４０は、内線同士、外内の交換機機能を有して構成されており、ボタン電話主装置として機能する。また、携帯端末である複数のＰＨＳ端末５０を無線回線を介して収容しており、ＰＨＳ端末５０への通信の交換制御を行う。また、ナースコール制御機２０と接続され、ナースコールによるＰＨＳ端末５０の呼び出し、ＰＨＳ端末５０からのナースコール子機１０の呼び出し等の制御を行う。
【００１８】
ナースコール専用ユニット３１は、ナースコール制御機２０と構内交換機４０との間に介在して、インタフェース変換を行う。すなわち、ナースコール専用ユニット３１のインタフェースは、ナースコール制御機２０に対しては、ＩＳＤＮ基本インタフェースとなり、構内交換機４０に対しては、ＩＳＤＮ一次群速度インタフェースとなる。なお、図１では、ナースコール専用ユニット３１は、構内交換機４０に設けられているが、ナースコール制御機２０と構内交換機４０との間のインタフェースの変換機能をもてば、配置される箇所には限定はない。
【００１９】
なお、構内交換機４０は、複数のナースコール制御機２０と接続することができるが、図１では、説明のため、構内交換機４０は、一つのナースコール制御機２０と接続された例を示した。また、ナースコール子機１０が一つのナースコール制御機２０（ナースコール親機）に収容される数、あるいはＰＨＳ端末５０が構内交換機４０に収容される数は、ナースコールシステムの仕様により決まり、その数が限定されるものではない。
【００２０】
次に、図２〜図５を参照して、ナースコール専用ユニット３１を用いた、インタフェースの説明およびナースコール接続方法を説明する。
【００２１】
図２は、ナースコール制御機２０とナースコール専用ユニット３１とのインタフェースをＩＳＤＮ基本インタフェースの（２Ｂ＋Ｄ）×２とし、ナースコール専用ユニット３１と構内交換機４０とのインタフェースを２３Ｂ＋ＤのＩＳＤＮ一次群速度インタフェースとした例を示すものである。
【００２２】
図３の表は、ナースコール専用ユニット３１でのチャネル割り当てを示すものであり、ナースコール制御機２０側のＩＳＤＮ基本インタフェースでは、回路１（ＩＳＤＮ基本インタフェース回路）には、チャネル１、２を割り当て、このチャネルを一次群速度インタフェース２３Ｂ＋Ｄのチャネル１、２に対応させている。また、ナースコール制御機２０側の回路２（ＩＳＤＮ基本インタフェース回路）には、チャネル１、２を割り当て、このチャネルを一次群速度インタフェース２３＋Ｄのチャネル３、４に対応させて割り当てている。
【００２３】
ナースコール及び集合住宅インターホンとＰＢＸとの接続に関するガイドラインが示す仕様では、ナースコール制御機２０のもつチャネルは４つであるため、ナースコール専用ユニット３１では、回路１と回路２にそれぞれ２チャネルを割り当てる。そのため、インタフェースは、ナースコール専用ユニット３１は、ＩＳＤＮ基本インタフェース（２Ｂ＋Ｄ）×２と同様のインタフェースとなる。しかし、ナースコール制御機２０が構内交換機４０と接続する際のインタフェースとして、回路１と回路２とを両方収容する場合は、回路２における制御チャネル（Ｄチャネル）を使用できない仕様であるため、構内交換機４０側で回路２のＤチャネルを共用することはできない。このため、構内交換機４０側では、一つの制御チャネル（Ｄチャネル）で４つのデータチャネル（Ｂチャネル）を制御するために、ナースコール専用ユニット３１が、構内交換機４０側へＩＳＤＮ一次群速度インタフェースとして振舞っているようなインタフェースとなっている。
【００２４】
ＩＳＤＮ一次群速度インタフェースの２３＋Ｄは、２３チャネルのデータチャネルと１チャネルの制御チャネルで構成されているが、ナースコール専用ユニット２０は、チャネルを４つしか使用しないため、構内交換機４０側のＩＳＤＮ一次群速度インタフェース２３Ｂ＋Ｄのデータチャネル先頭４チャネルをナースコール専用ユニット３１の回路１、２の４チャネルに割り当てる。そして、構内交換機４０側のＩＳＤＮ一次群速度インタフェースの４チャネルのうち、チャネル１とチャネル２をナースコール専用ユニット３１の回路１で使用するチャネル１とチャネル２とし、構内交換機４０側のＩＳＤＮ一次群速度インタフェースのチャネル３とチャネル４をナースコール専用ユニット３１の回路２で使用するチャネル１とチャネル２として制御する。この場合、制御回線は、回路１を使用する。
【００２５】
次に、図４で、ＰＨＳ端末５０の一つのＰＨＳ１からナースコール子機１０の子機１を呼び出したときの接続例を示して説明する。
この例は、構内交換機４０に収容されているＩＳＤＮ回線ユニットをナースコール専用ユニット３１として動作させる例である。ナースコール制御機２０とは、２回線４通話路として、物理的に接続する。構内交換機４０には、ＰＨＳ端末５０を通信可能な状態で４台（ＰＨＳ１〜ＰＨＳ４）収容されているものとする。ナースコール制御機２０には、ナースコール子機１０を４台（子機１〜子機４）収容しているものとする。そして、ナースコール子機１０とＰＨＳ端末５０とは、互いを呼び出すことができるものとする。
【００２６】
ここで、ＰＨＳ１から子機１を呼び出す際のチャネル選択は、構内交換機４０が具備するＩＳＤＮ一次群速度インタフェース２３＋Ｄのチャネル１とナースコール専用ユニット３１の回路１のチャネル１を紐付け、チャネルを指定する。ナースコール専用ユニット３１は、回路１のチャネル１と物理的に接続されているナースコール制御機２０のチャネル１を用いて、子機１を呼び出す。子機１が応答すれば、ＰＨＳ１と子機１との間の通話路が形成されて通信が可能となる。
【００２７】
ＰＨＳ１からＰＨＳ４まで、同様の操作を行えば、最大４チャネルを同時に使用して、ナースコール子機１０とＰＨＳ端末５０とが通信を行うことが可能である。図５は、４チャネルの全部を使用して通信を行っている例を示している。
【００２８】
このように、ナースコール専用ユニット３１がナースコール制御機２０に対してはＩＳＤＮ基本インタフェースで、構内交換機４０に対してはＩＳＤＮ一次群速度インタフェースとして機能するため、従来からある構内交換機のＩＳＤＮインタフェース機能を用いて、ナースコール子機と構内交換機の内線端末になるＰＨＳ端末との通信制御を行うことができ、ハードウェアの更新またソフトウェアの変更等の費用を低減できる。
【００２９】
ナースコール専用ユニット３１を構内交換機４０のＩＮＳ回線ユニットを用い、構内交換機４０内で、ＩＳＤＮ基本インタフェースからＩＳＤＮ一次群速度インタフェースに変換することで、装置のハードウェアを変更することなく、また、ソフトウェアの変更を少なくできる。この場合には、構内交換機のＩＮＳ回線ユニットをナースコール専用ユニットのＩＳＤＮ基本インタフェースとＩＳＤＮ一次群速度インタフェースとのインタフェース変換を行うナースコール専用ユニットとしての機能を実行させるソフトウェアとして実現することができる。また、ナースコール専用ユニット３１を構内交換機４０とは別に設けて、構内交換機４０のＩＳＤＮ一次群速度インタフェースの回線ユニットに収容する構成とすることでも実現できる。
【００３０】
また、上記実施の形態の説明では、ナースコール専用ユニット３１は、２つのＩＳＤＮ基本インタフェース（２Ｂ＋Ｄ）×２を収容する例で説明したが、ＩＳＤＮ一次群速度インタフェースのデータチャネル数は２３あるので、ＩＳＤＮ基本インタフェースを１１本まで収容できる。
【符号の説明】
【００３１】
１０  ナースコール子機
２０  ナースコール制御機
３１  ナースコール専用ユニット
３２  ナースコールアダプタ
４０  構内交換機（ＰＢＸ）
４３  アナログ回線ユニット
５０  ＰＨＳ端末
【図１】
0006029186.tif 000002
【図２】
0006029186.tif 000003
【図３】
0006029186.tif 000004
【図４】
0006029186.tif 000005
【図５】
0006029186.tif 000006
【図６】
0006029186.tif 000007
【図７】
0006029186.tif 000008